(57)【要約】【課題】複数のアンテナのうちから通信性能の良いアンテナを選択することが可能な電子機器を提供する。【解決手段】携帯型の電子機器である携帯端末１は、通信機器と無線通信する。携帯端末１は、複数のアンテナを備える。携帯端末１は、携帯端末１の把持状態を検出する。携帯端末１は、検出された把持状態に基づいて、複数のアンテナのうちから、通信機器との通信に用いる少なくとも１つのアンテナを選択する。携帯端末１は、選択されたアンテナを用いて、通信機器と無線通信する。【選択図】図９
2015033079.tif 000002
【特許請求の範囲】
【請求項１】
通信機器と無線通信する携帯型の電子機器であって、
複数のアンテナと、
前記電子機器の把持状態を検出する検出手段と、
前記検出された把持状態に基づいて、前記複数のアンテナのうちから、前記通信機器との通信に用いる少なくとも１つのアンテナを選択する選択手段と、
前記選択されたアンテナを用いて、前記通信機器と無線通信する通信インターフェイスとを備える、電子機器。
【請求項２】
前記複数のアンテナの各々は、前記電子機器に内蔵されており、
前記選択手段は、前記複数のアンテナのうちから、前記アンテナの給電点の近傍の前記電子機器の表面が手で覆われていないアンテナを選択する、請求項１に記載の電子機器。
【請求項３】
前記電子機器の主面側に表示面を有するタッチスクリーンと、
前記電子機器の背面および側面における前記手の接触位置を検知する第１のセンサとをさらに備え、
前記検出手段は、前記検知された接触位置に基づき、前記把持状態を検出する、請求項２に記載の電子機器。
【請求項４】
加速度を検知する第２のセンサと、
前記第２のセンサからの出力に基づき前記電子機器の姿勢が第１の姿勢から第２の姿勢に変化したと検知された場合に、前記タッチスクリーンの表示画面を９０度回転させる表示制御手段とを備え、
前記検出手段は、前記第１の姿勢および前記第２の姿勢のいずれかを表した姿勢情報に基づき、前記把持状態を検出する、請求項３に記載の電子機器。
【請求項５】
前記検出手段は、前記接触位置に基づき、前記電子機器に接触している手が左手および右手のいずれであるかを判断する判断手段を含み、
前記電子機器は、
前記接触位置と、前記姿勢情報と、前記接触している手が左手および右手のいずれであるかを表す持手情報とに基づき、前記接触している手の親指の前記主面における可動領域を推定する推定手段をさらに備え、
前記選択手段は、前記複数のアンテナのうちから、前記推定された可動領域が前記給電点の近傍とならないアンテナを選択する、請求項４に記載の電子機器。
【発明の詳細な説明】
【技術分野】
【０００１】
本発明は、電子機器、通信制御方法、およびプログラムに関する。特に、本発明は、通信機能を有する電子機器、電子機器における通信制御方法、および電子機器を制御するためのプログラムに関する。
【背景技術】
【０００２】
従来、アンテナを用いて他の装置と無線通信する電子機器が知られている。このような電子機器においては、ユーザがアンテナに近い表面を手で覆ってしまうと、通信性能が劣化してしまう。
【０００３】
また、従来、複数のアンテナのうちから使用するアンテナを切り替え可能な携帯型の端末装置が知られている。たとえば、特許文献１には、当該端末装置として、表示手段と、複数のアンテナと、使用するアンテナを切り替えるアンテナ切替手段と、使用者の保持方向を検出する保持方向検出手段とを備える携帯型情報端末が開示されている。当該携帯型情報端末においては、アンテナ切替手段は、通信性能の劣化を防ぐために、保持方向検出手段からの検出信号に基づき、無線通信に使用するアンテナを切り替える。
【先行技術文献】
【特許文献】
【０００４】
【特許文献１】特開２００５−３０３８５６号公報
【発明の概要】
【発明が解決しようとする課題】
【０００５】
しかしながら、特許文献１では、単に、携帯型情報端末の保持方向しか考慮していないため、ユーザの携帯型情報端末の把持状態（持ち方）によっては、通信性能が良くない方のアンテナを選択してしまうおそれがある。
【０００６】
本願は、上記の問題点に鑑みなされたものであって、その目的は、複数のアンテナのうちから通信性能の良いアンテナを選択することが可能な電子機器を提供することにある。
【課題を解決するための手段】
【０００７】
本発明のある局面に従うと、電子機器は、通信機器と無線通信する携帯型の機器である。電子機器は、複数のアンテナと、電子機器の把持状態を検出する検出手段と、検出された把持状態に基づいて、複数のアンテナのうちから、通信機器との通信に用いる少なくとも１つのアンテナを選択する選択手段と、選択されたアンテナを用いて、通信機器と無線通信する通信インターフェイスとを備える。
【発明の効果】
【０００８】
本発明によれば、複数のアンテナのうちから通信性能の良いアンテナを選択することが可能となる。
【図面の簡単な説明】
【０００９】
【図１】携帯端末１の概略構成を説明するための図である。
【図２】ユーザが携帯端末１を横向きに把持した状態を表した図である。
【図３】ユーザが携帯端末１を縦向きに把持した状態を表した図である。
【図４】携帯端末１のハードウェア構成を表した図である。
【図５】携帯端末１の主面の領域を説明するための図である。
【図６】携帯端末１の機能的構成を説明するための図である。
【図７】データテーブルＤ７の概略構成を表した図である。
【図８】携帯端末１における処理の流れを説明するためのフローチャートである。
【図９】図８におけるステップＳ４の処理の詳細を説明するためのフローチャートである。
【図１０】親指の可動領域を説明するための図である。
【図１１】ユーザが携帯端末１Ａを横向きに把持した状態を表した図である。
【図１２】ユーザが携帯端末１Ａを縦向きに把持した状態を表した図である。
【図１３】ユーザが携帯端末１Ｂを横向きに把持した状態を表した図である。
【図１４】ユーザが携帯端末１Ｂを縦向きに把持した状態を表した図である。
【図１５】携帯端末１Ｂにおける処理の流れを説明するためのフローチャートである。
【図１６】携帯端末１Ｃの概略構成を説明するための図である。
【図１７】ユーザが携帯端末１Ｃを横向きに把持した状態を表した図である。
【図１８】ユーザが携帯端末１Ｃを縦向きに把持した状態を表した図である。
【図１９】携帯端末１Ｃの機能的構成を説明するための図である。
【図２０】携帯端末１Ｃにおける処理の流れを説明するためのフローチャートである。
【図２１】図２０におけるステップＳ４Ａの処理の詳細を説明するためのフローチャートである。
【発明を実施するための形態】
【００１０】
以下、図面を参照しつつ、本発明の各実施の形態に係る携帯端末について説明する。以下の説明では、同一の部品には同一の符号を付してある。それらの名称および機能も同じである。したがって、それらについての詳細な説明は繰り返さない。なお、携帯端末としては、たとえば、スマートフォン、タブレット端末が挙げられる。携帯端末は、無線通信が可能な携帯型の電子機器であれば、特に限定されるものではない。
【００１１】
［実施の形態１］
＜Ａ．携帯端末１の概略構成＞
図１は、本発明の実施の形態に係る携帯端末１の概略構成を説明するための図である。図１（Ａ）は、携帯端末１の正面図である。図１（Ｂ）は、携帯端末１の背面図である。図１（Ｃ）は、携帯端末１の側面図である。図１（Ｄ）は、図１（Ｃ）におけるI-I線矢視断面図である。
【００１２】
図１（Ａ），（Ｃ）を参照して、携帯端末１は、主面に、タッチスクリーン１０８と、操作キー１０５とを備えている。なお、タッチスクリーン１０８は、ディスプレイとタッチパネルとを含んで構成される。また、携帯端末１は、各側面に、側面タッチセンサ１１０ａ，１１０ｂ，１１０ｃ，１１０ｄを備えている。各側面タッチセンサ１１０ａ，１１０ｂ，１１０ｃ，１１０ｄは、携帯端末１の筐体１０の表面に設けられている。各側面タッチセンサ１１０ａ，１１０ｂ，１１０ｃ，１１０ｄは、たとえば、静電容量方式のセンサで構成することができる。また、静電容量式のセンサ等のタッチセンサの代わりに、ホバー対応のタッチパネルを使用することも可能である。狭額縁の端末であれば、匡体の側面にも電界が回り込んでくるため、匡体側面の指や手の接触位置の検出が可能である。
【００１３】
以下では、４つの側面タッチセンサ１１０ａ，１１０ｂ，１１０ｃ，１１０ｄを、「側面タッチセンサ１１０」と総称する。つまり、側面タッチセンサ１１０は、４つの側面タッチセンサ１１０ａ，１１０ｂ，１１０ｃ，１１０ｄを含む。
【００１４】
図１（Ｂ）を参照して、携帯端末１は、背面に、カメラ１０７と、背面タッチセンサ１０９とを備えている。背面タッチセンサ１０９は、側面タッチセンサ１１０と同様、たとえば、静電容量方式のセンサで構成することができる。
【００１５】
図１（Ｄ）を参照して、携帯端末１は、筐体１０内に、複数のアンテナ１２１，１２２と、複数の電子回路１３１，１３２，１３３，１３４とを備える。各電子回路１３１〜１３４は、図示しない基板上に配置される。つまり、複数のアンテナ１２１，１２２と、複数の電子回路１３１，１３２，１３３，１３４は、携帯端末１に内蔵されている。
【００１６】
アンテナ１２１は、図示しない給電線により給電される。給電点Ｐ１は、当該給電線とアンテナ１２１との接続点である。また、アンテナ１２２は、図示しない給電線により給電される。給電点Ｐ２は、当該給電線とアンテナ１２２との接続点である。
【００１７】
携帯端末１は、アンテナ１２１およびアンテナ１２２から１つのアンテナを選択し、図示しない通信機器（他の通信端末、基地局等）との間で無線通信を行なう。つまり、携帯端末１は、無線通信に利用するアンテナをアンテナ１２１とアンテナ１２２との間で切り替える。アンテナの具体的な選択の手法については、後述する。
【００１８】
また、携帯端末１は、携帯端末１の姿勢が横向きの姿勢から縦向きの姿勢に変化、または当該姿勢が縦向きの姿勢から横向きの姿勢に変化した場合、ディスプレイの表示画面を９０度回転させる画面回転機能を有する。
【００１９】
＜Ｂ．アンテナの選択（切替）の概要＞
図２は、ユーザが携帯端末１を横向きに把持した状態を表した図である。図２を参照して、状態Ａは、横向きの姿勢の携帯端末１の右端側（図２の状態Ａの場合には操作キー１０５側）を、ユーザが右手で把持した状態を表した図である。状態Ｂは、横向きの姿勢の携帯端末１の左端側を、ユーザが左手で把持した状態を表した図である。
【００２０】
状態Ａにおいては、アンテナ１２２の給電点Ｐ２の近傍の携帯端末１の表面（主面，背面，および側面）が手で覆わることになるため、携帯端末１は、アンテナ１２１を用いて通信機器と無線通信を行なう。つまり、携帯端末１は、給電点の近傍の表面が手で覆われていないアンテナ１２１を選択する。
【００２１】
なお、「給電点の近傍の表面」とは、典型的には、給電点を通る主面の法線と当該主面との交点、給電点を通る背面の法線と当該背面との交点、および給電点を通る側面（典型的には、給電点に最も近い側面）の法線と当該側面との交点である。あるいは、「給電点の近傍の表面」は、上記各交点を含む予め定められた範囲の領域（たとえば、半径５ｍｍの円領域、あるいは一辺が５ｍｍの矩形領域）とすることができる。
【００２２】
状態Ａから状態Ｂに遷移すると、アンテナ１２１の給電点Ｐ１の近傍の表面が手で覆われることになるため、携帯端末１は、アンテナ１２２を用いて通信機器と無線通信を行なう。つまり、携帯端末１は、給電点の近傍の表面が手で覆われていないアンテナ１２２を選択する。
【００２３】
図３は、ユーザが携帯端末１を縦向きに把持した状態を表した図である。図３を参照して、状態Ａは、縦向きの姿勢の携帯端末１の下端側（図３の状態Ａの場合には操作キー１０５側）を、ユーザが右手で把持した状態を表した図である。状態Ｂは、縦向きの姿勢の携帯端末１の上端側を、ユーザが左手で把持した状態を表した図である。
【００２４】
状態Ａにおいては、アンテナ１２２の給電点Ｐ２の近傍の表面が手で覆われることになるため、携帯端末１は、アンテナ１２１を用いて通信機器と無線通信を行なう。つまり、携帯端末１は、給電点の近傍の表面が手で覆われていないアンテナ１２１を選択する。
【００２５】
状態Ａから状態Ｂに遷移すると、アンテナ１２１の給電点Ｐ１の近傍の表面が手で覆われることになるため、携帯端末１は、アンテナ１２２を用いて通信機器と無線通信を行なう。つまり、携帯端末１は、給電点の近傍の筐体表面が手で覆われていないアンテナ１２２を選択する。
【００２６】
以上のように、携帯端末１は、把持状態に基づいて、アンテナ１２１，１２２のうちから、通信機器との通信に用いる少なくとも１つのアンテナを選択する。具体的には、携帯端末１は、携帯端末１の姿勢（横向きまたは縦向きの姿勢）にかかわらず、２つのアンテナ１２１，１２２のうち給電点の近傍の表面が手で覆われていないアンテナを用いて、通信機器と通信する。
【００２７】
これにより、携帯端末１は、通信性能（通信品質）のよい方のアンテナを用いて、通信機器と通信することが可能となる。以下、上記のようなアンテナの選択を実現するための携帯端末１の具体的な構成について説明する。
【００２８】
＜Ｃ．ハードウェア構成＞
図４は、携帯端末１のハードウェア構成を表した図である。図４を参照して、携帯端末１は、プログラムを実行するＣＰＵ１０１と、ＲＯＭ（Read Only Memory）１０２と、ＲＡＭ（Random Access Memory）１０３と、フラッシュメモリ１０４と、操作キー１０５と、スピーカ１０６と、カメラ１０７と、タッチスクリーン１０８と、背面タッチセンサ１０９と、側面タッチセンサ１１０と、加速度センサ１１１と、無線通信ＩＦ（Interface）１１２と、アンテナ１２１と、アンテナ１２２とを、少なくとも含んで構成されている。タッチスクリーン１０８は、上述したように、ディスプレイ１０８１と、タッチパネル１０８２とを含む。各構成要素１０１〜１１２は、相互にデータバスによって接続されている。
【００２９】
アンテナ１２１，１２２は、無線通信ＩＦ１１２に接続されている。アンテナ１２１，１２２、および無線通信ＩＦ１１２は、たとえば、基地局を介した、他の移動体端末、固定電話、およびＰＣ（Personal Computer）との間における無線通信に用いられる。
【００３０】
ＲＯＭ１０２は、不揮発性の半導体メモリである。ＲＯＭ１０２は、携帯端末１のブートプログラムが予め格納されている。
【００３１】
フラッシュメモリ１０４は、不揮発性の半導体メモリである。フラッシュメモリ１０４は、一例としてＮＡＮＤ型で構成してもよい。フラッシュメモリ１０４は、携帯端末１のオペレーティングシステム、携帯端末１を制御するための各種のプログラム、並びに、携帯端末１が生成したデータ、携帯端末１の外部装置から取得したデータ等の各種データを揮発的に格納する。
【００３２】
携帯端末１における処理は、各ハードウェアおよびＣＰＵ１０１により実行されるソフトウェアによって実現される。このようなソフトウェアは、フラッシュメモリ１０４に予め記憶されている場合がある。また、ソフトウェアは、図示しないメモリカードその他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、アンテナ１２１，１２２、および無線通信ＩＦ１１２を介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００３３】
同図に示される携帯端末１を構成する各構成要素は、一般的なものである。したがって、本発明の本質的な部分は、フラッシュメモリ１０４その他の記憶媒体に格納されたソフトウェア、あるいはネットワークを介してダウンロード可能なソフトウェアであるともいえる。
【００３４】
なお、記録媒体としては、ＤＶＤ-ＲＯＭ、ＣＤ−ＲＯＭ、ＦＤ、ハードディスクに限られず、磁気テープ、カセットテープ、光ディスク、光カード、マスクＲＯＭ、ＥＰＲＯＭ、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００３５】
＜Ｄ．領域＞
図５は、携帯端末１の主面の領域を説明するための図である。図５（Ａ）は、携帯端末１の正面図である。図５（Ｂ）は、携帯端末１の側面図である。
【００３６】
図５を参照して、主面の領域は、一例として、複数の領域α，β，γ，δに分割（分類）される。領域α，β，γ，δの各々は、この順に、上端側から下端側（操作キー１０５側）に位置している。
【００３７】
給電点Ｐ１から主面への法線は、領域αで交わる。つまり、給電点Ｐ１は、複数の領域α〜δにおける領域αの直下に位置する。また、給電点Ｐ２から主面への法線は、領域δで交わる。つまり、給電点Ｐ２は、複数の領域α〜δにおける領域δの直下に位置する。
【００３８】
以下では、領域α，β，γ，δを用いて、ユーザが携帯端末１を把持している手の親指の主面における可動範囲を説明する。なお、上記においては、主面を４つの領域に分けているが、複数であればよく、４つに限定されるものではない。
【００３９】
＜Ｅ．機能的構成およびデータ＞
図６は、携帯端末１の機能的構成を説明するための図である。図６を参照して、携帯端末１は、タッチスクリーン１０８と、背面タッチセンサ１０９と、側面タッチセンサ１１０と、加速度センサ１１１と、無線通信ＩＦ１１２と、アンテナ１２１と、アンテナ１２２と、制御部２００と、記憶部３００とを備えている。
【００４０】
無線通信ＩＦ１１２は、アンテナ切替処理部４００を含んでいる。制御部２００は、状態検出部２１０と、可動領域推定部２２０と、通信制御部２３０と、表示制御部２４０とを含む。状態検出部２１０は、持手判断部２１１を有する。通信制御部２３０は、選択部２３１を有する。記憶部３００は、データテーブルＤ７を格納している。
【００４１】
制御部２００に含まれる各機能ブロックおよび無線通信ＩＦに含まれる機能ブロック等の説明を行なう前に、データテーブルＤ７の概要について説明する。
【００４２】
図７は、データテーブルＤ７の概略構成を表した図である。図７を参照して、データテーブルＤ７では、携帯端末１の姿勢（縦，横）と、ユーザの携帯端末１の持ち手（把持している方の手）と、主面における接触領域（親指の接触領域）と、主面における親指の可動範囲（つまり、把持状態で親指が動くことが可能な主面上の領域）と、選択するアンテナとが対応付けられている。
【００４３】
主面における接触領域は、説明の便宜上、複数の領域α，β，γ，δのいずれかとする。また、親指の可動範囲は、複数の領域α，β，γ，δのいずれか、または複数の領域α，β，γ，δのうちの２つ以上の組み合わせとする。選択するアンテナとしては、アンテナ１２１、アンテナ１２２、現在利用しているアンテナ（アンテナ１２１またはアンテナ１２２）の３つのうちのいずれかが規定されている。
【００４４】
再び、図６を参照して、携帯端末１における処理を説明する。背面タッチセンサ１０９は、携帯端末１の背面における手の接触位置を検知する。背面タッチセンサ１０９は、検知した接触位置の座標情報を制御部２００の状態検出部２１０に送る。
【００４５】
側面タッチセンサ１１０は、携帯端末１の側面における手の接触位置を検知する。側面タッチセンサ１１０は、検知した接触位置の座標情報を状態検出部２１０に送る。なお、各側面タッチセンサ１１０ａ〜１１０ｄからの座標情報は、側面タッチセンサ毎に区別された状態で状態検出部２１０に送られる。
【００４６】
加速度センサ１１１は、携帯端末１の現在の向き（縦向きか横向きか）を重力により検知するとともに、ユーザの動作による携帯端末１の加速度を検出する。加速度センサ１１１は、測定した加速度の情報を制御部２００に送る。より詳しくは、加速度センサ１１１は、測定した加速度の情報を、状態検出部２１０と表示制御部２４０とに送る。
【００４７】
表示制御部２４０は、加速度センサ１１１からの出力に基づき携帯端末１の姿勢が第１の姿勢（たとえば縦）から第２の姿勢（たとえば横）に変化したと検知された場合に、ディスプレイ１０８１の表示画面を９０度回転させる。つまり、表示制御部２４０は、画面回転機能を有する。
【００４８】
状態検出部２１０は、ユーザによる携帯端末１の把持状態を検出する。状態検出部２１０の持手判断部２１１は、接触位置に基づき、携帯端末１に接触している手が左手および右手のいずれであるかを判断する。
【００４９】
把持状態の検出について、詳しく説明すれば、以下のとおりである。状態検出部２１０は、タッチパネル１０８２からの座標情報と、背面タッチセンサ１０９からの座標情報と、側面タッチセンサ１１０からの座標情報と、加速度センサ１１１からの加速度情報とに基づき、把持状態を検出する。より詳しくは、状態検出部２１０は、検知された接触位置の情報と、携帯端末１の姿勢情報（縦向きまたは横向き）と、接触している手が左手および右手のいずれであるかを表す持手情報とに基づき、把持状態を検出する。
【００５０】
状態検出部２１０は、検出した把持状態を、可動領域推定部２２０に送る。具体的には、状態検出部２１０は、把持状態を表す情報として、手の接触位置の情報と、携帯端末１の姿勢情報と、持手情報とを、可動領域推定部２２０に送る。
【００５１】
可動領域推定部２２０は、手の接触位置の情報と、姿勢情報と、持手情報とに基づき、接触している手の親指の表面における可動領域を推定する。具体的には、可動領域推定部２２０は、データテーブルＤ７を参照して、親指の主面における可動領域を推定する。具体的には、可動領域推定部２２０は、可動領域として、領域α，β，γ，δ（図５参照）のうちから少なくとも１つの領域を推定する。また、可動領域推定部２２０は、手の接触位置の情報と、姿勢情報と、持手情報と、推定した可動領域を表す情報を、通信制御部２３０に送る。
【００５２】
通信制御部２３０は、無線通信ＩＦ１１２を用いた通信を制御する。具体的には、通信制御部２３０は、無線通信の設定に必要な各種の処理を行なう。
【００５３】
通信制御部２３０の選択部２３１は、上記検出された把持状態に基づいて、前記複数のアンテナ１２１，１２２のうちから、通信機器との通信に用いる少なくとも１つのアンテナを選択する。
【００５４】
具体的には、選択部２３１は、複数のアンテナ１２１，１２２のうちから、アンテナの給電点の近傍の携帯端末１の表面が手で覆われていないアンテナを選択する。より詳しくは、選択部２３１は、複数のアンテナ１２１，１２２のうちから、アンテナの給電点の近傍の表面が手で覆われておらず、かつ推定された可動領域が給電点の近傍とならないアンテナを選択する。さらに詳しくは、選択部２３１は、データテーブルＤ７を参照して、通信に利用するアンテナを選択する。
【００５５】
選択部２３１における選択処理の一例を挙げて説明すれば、以下のとおりである。携帯端末１の姿勢が縦向き、持ち手が左、主面における接触領域がβとなるように、ユーザが携帯端末１を把持していたとする。また、当該把持状態に基づき推定される親指の可動領域が、領域α，β，γであったとする。この場合、選択部２３１は、データテーブルＤ７を参照して、姿勢が「縦」，持ち手が「左手」、主面における接触領域が「α」，および親指の可動領域が「α，β,γ」に対応付けられたアンテナ（つまり、アンテナ１２２）を選択する。選択部２３１は、選択したアンテナをアンテナ切替処理部４００に通知する。
【００５６】
無線通信ＩＦ１１２は、選択されたアンテナを用いて、通信機器と無線通信する。詳しくは、無線通信ＩＦ１１２のアンテナ切替処理部４００が、選択されたアンテナを用いて通信が行えるように、必要に応じてアンテナを切り替える。たとえば、アンテナ切替処理部４００は、アンテナ１２１が使用されている状況において、選択部２３１からアンテナ１２２が選択されたことを通知されると、利用するアンテナをアンテナ１２１からアンテナ１２２に切り換える処理を行なう。
【００５７】
＜Ｆ．制御構造＞
図８は、携帯端末１における処理の流れを説明するためのフローチャートである。図８を参照して、ステップＳ２において、携帯端末１のＣＰＵ１０１は、ネットワークへの接続を開始するための処理要求を受付けたか否かを判断する。ＣＰＵ１０１は、処理要求を受付けたと判断した場合（ステップＳ２においてＹＥＳ）、ステップＳ４において、ＣＰＵ１０１は、ユーザによる携帯端末１の把持状態を検出する。ＣＰＵ１０１は、処理要求を受付けていないと判断した場合（ステップＳ２においてＮＯ）、処理をステップＳ２に戻す。
【００５８】
ステップＳ６において、ＣＰＵ１０１は、親指の主面における可動領域を推定する。ステップＳ８において、ＣＰＵ１０１は、無線通信に利用するアンテナを、アンテナ１２１，１２２のうちから選択する。ステップＳ１０において、無線通信ＩＦ１１２は、選択されたアンテナを用いて、通信機器と通信する。
【００５９】
ステップＳ１２において、ＣＰＵ１０１は、ネットワークへの接続を終了させるための処理要求を受付けたか否かを判断する。ＣＰＵ１０１は、処理要求を受付けたと判断した場合（ステップＳ１２においてＹＥＳ）、一連の処理を終了する。ＣＰＵ１０１は、処理要求を受付けていないと判断した場合（ステップＳ１２においてＮＯ）、処理をステップＳ４に戻す。
【００６０】
図９は、図８におけるステップＳ４の処理の詳細を説明するためのフローチャートである。図９を参照して、ステップＳ４０２において、ＣＰＵ１０１は、加速度センサ１１１からの出力に基づき、携帯端末１の姿勢を判断する。ステップＳ４０４において、ＣＰＵ１０１は、背面タッチセンサ１０９および側面タッチセンサ１１０から、手の接触位置を表す座標情報を取得する。ステップＳ４０６において、ＣＰＵ１０１は、携帯端末１を把持している持ち手が、左手であるか右手であるかを判断する。
【００６１】
＜Ｇ．まとめ＞
（１）携帯端末１は、通信機器と無線通信する携帯型の電子機器である。携帯端末１は、複数のアンテナ１２１，１２２と、携帯端末１の把持状態を検出する状態検出部２１０と、検出された把持状態に基づいて、複数のアンテナ１２１，１２２のうちから、通信機器との通信に用いるアンテナを選択する選択部２３１と、選択されたアンテナを用いて、通信機器と無線通信する無線通信ＩＦ１１２とを備える。したがって、携帯端末１は、ユーザによる把持状態に応じて、複数のアンテナのうちから通信性能の良いアンテナを選択することが可能となる。
【００６２】
（２）複数のアンテナ１２１，１２２の各々は、携帯端末１に内蔵されている。選択部２３１は、複数のアンテナ１２１，１２２のうちから、アンテナの給電点の近傍の携帯端末１の表面が手で覆われていないアンテナを選択する。
【００６３】
したがって、携帯端末１は、給電点の近傍の表面が手で覆われていないアンテナを選択するため、通信性能の良いアンテナを選択することが可能となる。
【００６４】
（３）携帯端末１は、主面側に表示面を有するタッチスクリーン１０８と、携帯端末１の背面および側面における手の接触位置を検知するタッチセンサ（１０９，１１０）とをさらに備える。状態検出部２１０は、検知された接触位置に基づき、把持状態を検出する。それゆえ、携帯端末１は、把持状態を検出できる。
【００６５】
（４）携帯端末１は、加速度を検知する加速度センサ１１１と、加速度センサ１１１からの出力に基づき携帯端末１の姿勢が第１の姿勢から第２の姿勢に変化したと検知された場合に、タッチスクリーン１０８のディスプレイ１０８１の表示画面を９０度回転させる表示制御部２４０とを備える。状態検出部２１０は、第１の姿勢および第２の姿勢のいずれかを表した姿勢情報に基づき、把持状態を検出する。したがって、携帯端末１は、姿勢情報を考慮した把持状態を検出できる。
【００６６】
（５）状態検出部２１０は、前記接触位置に基づき、前記電子機器に接触している手が左手および右手のいずれであるかを判断する持手判断部２１１を含む。携帯端末１は、接触位置と、姿勢情報と、接触している手が左手および右手のいずれであるかを表す持手情報とに基づき、接触している手の親指の主面における可動領域を推定する可動領域推定部２２０をさらに備える。選択部２３１は、複数のアンテナ１２１，１２２のうちから、推定された可動領域が給電点の近傍とならないアンテナを選択する。したがって、携帯端末１は、ユーザがたとえ親指を動かした場合であっても、給電点の近傍の表面が手で覆われることがないアンテナを選択することが可能となる。
【００６７】
（６）携帯端末１の主面は、複数の領域α，β，γ，δに分割されている。複数のアンテナ１２１，１２２のうちのアンテナ１２１の給電点Ｐ１は、複数の領域α〜δにおける領域αの直下に位置する。複数のアンテナ１２１，１２２のうちのアンテナ１２２の給電点Ｐ２は、複数の領域α〜δにおける領域δの直下に位置する。可動領域推定部２２０は、複数の領域α〜δの１つ以上の領域を可動領域として推定する。したがって、携帯端末１は、予め定められた複数の領域α〜δのうちから、親指の可動領域を推定できる。
【００６８】
（７）携帯端末１の姿勢と、持ち手と、領域α〜δと、アンテナとの対応関係を表したデータテーブルＤ７を記憶した記憶部３００をさらに備える。選択部２３１は、データテーブルＤ７に基づいて、複数のアンテナ１２１，１２２のうちから、通信機器との通信に用いる少なくとも１つのアンテナを選択する。したがって、携帯端末１は、データテーブルＤ７を予め格納しておくことにより、給電点の近傍の表面が手で覆われていないアンテナを選択することができる。
【００６９】
（８）携帯端末１における通信制御方法は、携帯端末１の把持状態を検出するステップと、検出された把持状態に基づいて、複数のアンテナ１２１，１２２のうちから、通信機器との通信に用いるアンテナを選択するステップと、選択されたアンテナを用いて、通信機器と無線通信するステップとを備える。したがって、携帯端末１は、ユーザによる把持状態に応じて、複数のアンテナのうちから通信性能の良いアンテナを選択することが可能となる。
【００７０】
（９）携帯端末１を制御するプログラムは、携帯端末１の把持状態を検出するステップと、検出された把持状態に基づいて、複数のアンテナ１２１，１２２のうちから、通信機器との通信に用いるアンテナを選択するステップと、選択されたアンテナを用いて、通信機器と無線通信するステップとを、携帯端末１のＣＰＵ１０１に実行させる。したがって、携帯端末１は、ユーザによる把持状態に応じて、複数のアンテナのうちから通信性能の良いアンテナを選択することが可能となる。
【００７１】
＜Ｈ．変形例＞
（ｈ１．親指の可動領域）
図１０は、親指の可動領域を説明するための図である。上記においては、親指の可動領域を４つの領域α，β，γ，δに区分したが、これに限定されるのではない。たとえば、図１０に示すように、携帯端末１において、ユーザによる把持状態に応じて、より正確な可動領域（たとえば領域Ｑ）を推定するように可動領域推定部２２０を構成してもよい。
【００７２】
この場合には、可動領域推定部２２０は、データテーブルＤ７の代わりに、たとえば、姿勢と、持ち手と、接触位置を表す複数の座標情報（座標値）の組み合わせのパターン、親指の可動領域と、アンテナとを対応付けたデータテーブルを利用して可動領域を推定すればよい。
【００７３】
また、この場合、親指の可動領域は、数式を用いた演算により推定してもよい。さらに、データテーブルにおいて座標の組み合わせパターンを予め対応づけておくのではなく、演算により複数のパターンのいずれかに属するのかを判断する構成としてもよい。
【００７４】
（ｈ２．アンテナの数が３本の構成）
上記においては、アンテナを２本内蔵した構成の携帯端末１について説明した。以下では、アンテナを３本内蔵した携帯端末１Ａにおけるアンテナの選択について説明する。
【００７５】
図１１は、ユーザが携帯端末１Ａを横向きに把持した状態を表した図である。図１１を参照して、携帯端末１Ａは、アンテナ１２１，１２２，１２３を備える。アンテナ１２３は、図示しない給電線により給電される。給電点Ｐ３は、当該給電線とアンテナ１２３との接続点である。また、以下の説明では、アンテナ１２２、アンテナ１２１、アンテナ１２３の順に、アンテナの性能が低下するものとする。
【００７６】
状態Ａは、横向きの姿勢の携帯端末１Ａの右端側（図１１の状態Ａの場合には操作キー１０５とは反対側）を、ユーザが右手で把持した状態を表した図である。状態Ｂは、横向きの姿勢の携帯端末１Ａの左端側を、ユーザが左手で把持した状態を表した図である。状態Ｃは、横向きの姿勢の携帯端末１Ａの左端側と右端側とを、ユーザが各々左手と右手とで把持した状態を表した図である。
【００７７】
状態Ａにおいては、アンテナ１２１の給電点Ｐ１の近傍の携帯端末１Ａの表面（主面，背面，および側面）が手で覆わることになる。また、上述したとおり、アンテナ１２２の方がアンテナ１２３よりも性能がよい。したがって、携帯端末１Ａは、アンテナ１２２を用いて通信機器と無線通信を行なう。つまり、携帯端末１Ａは、給電点の近傍の表面が手で覆われていないアンテナ１２２，１２３のうち、性能が良い方のアンテナ１２２を選択する。
【００７８】
状態Ａから状態Ｂに遷移すると、アンテナ１２２の給電点Ｐ２の近傍の表面が手で覆われることになる。また、アンテナ１２１の方がアンテナ１２３よりも性能がよい。したがって、携帯端末１Ａは、アンテナ１２１を用いて通信機器と無線通信を行なう。つまり、携帯端末１は、給電点の近傍の表面が手で覆われていないアンテナ１２１，１２３のうち、性能が良い方のアンテナ１２１を選択する。
【００７９】
状態Ａ（または状態Ｂ）から状態Ｃに遷移すると、アンテナ１２２の給電点Ｐ２およびアンテナ１２１の給電点Ｐ１の近傍の各表面が手で覆われることになる。したがって、携帯端末１Ａは、アンテナ１２３を用いて通信機器と無線通信を行なう。つまり、携帯端末１は、給電点の近傍の表面が手で覆われていないアンテナとして残ったアンテナ１２３を選択する。
【００８０】
図１２は、ユーザが携帯端末１Ａを縦向きに把持した状態を表した図である。図１２を参照して、状態Ａは、縦向きの姿勢の携帯端末１Ａの下端側（図１２の状態Ａの場合には操作キー１０５側）を、ユーザが右手で把持した状態を表した図である。状態Ｂは、縦向きの姿勢の携帯端末１Ａの下端側を、ユーザが左手で把持した状態を表した図である。
【００８１】
状態Ａにおいては、アンテナ１２２の給電点Ｐ２の近傍の表面が手で覆われることになる。また、アンテナ１２１の方がアンテナ１２３よりも性能がよい。したがって、携帯端末１Ａは、アンテナ１２１を用いて通信機器と無線通信を行なう。つまり、携帯端末１は、給電点の近傍の表面が手で覆われていないアンテナ１２１，１２３のうち、性能が良い方のアンテナ１２１を選択する。
【００８２】
状態Ａから状態Ｂに遷移すると、アンテナ１２３の給電点Ｐ３の近傍の表面が手で覆われることになる。また、アンテナ１２２の方がアンテナ１２１よりも性能がよい。したがって、携帯端末１Ａは、アンテナ１２２を用いて通信機器と無線通信を行なう。つまり、携帯端末１は、給電点の近傍の筐体表面が手で覆われていないアンテナ１２１，１２２のうち、性能が良い方のアンテナ１２２を選択する。
【００８３】
以上のように、携帯端末１Ａは、把持状態に基づいて、アンテナ１２１，１２２，１２３のうちから、通信機器との通信に用いる少なくとも１つのアンテナを選択する。具体的には、携帯端末１Ａは、携帯端末１の姿勢（横向きまたは縦向きの姿勢）にかかわらず、３つのアンテナ１２１，１２２，１２３のうち給電点の近傍の表面が手で覆われていないアンテナであって、性能が最も高いアンテナを用いて、通信機器と通信する。
【００８４】
（ｈ３．掌の一部または親指の付け根が携帯端末１に密着している場合の処理）
次に、掌の一部または親指の付け根が携帯端末に密着している場合を考慮したアンテナの切替方法について説明する。なお、説明の便宜上、当該密着を考慮する携帯端末を、携帯端末１と区別するために、「携帯端末１Ｂ」と称する。なお、携帯端末１と携帯端末１Ｂとは同じハードウェア構成を有する。つまり、携帯端末１Ｂは、２本のアンテナ１２１，１２２を備える。ただし、アンテナ１２２の方がアンテナ１２１よりも性能が良いものとして、以下説明する。
【００８５】
携帯端末１Ｂは、掌の一部または親指の付け根が携帯端末１Ｂに密着しているか否かを、背面タッチセンサ１０９および側面タッチセンサ１１０ａ〜１１０ｄにより検知される接触面積の大きさに基づき判断する。携帯端末１Ｂは、掌の一部または親指の付け根が携帯端末１Ｂの表面に密着していると判断した場合に、当該密着している領域が各アンテナの各給電点の近傍であるか否かを判断する。
【００８６】
図１３は、ユーザが携帯端末１Ｂを横向きに把持した状態を表した図である。図１３を参照して、状態Ａは、横向きの姿勢の携帯端末１の右端側（図１３の状態Ａの場合には操作キー１０５とは反対側）を、ユーザが右手で把持した状態を表した図である。状態Ｂは、横向きの姿勢の携帯端末１Ｂの左端側を、ユーザが左手で把持した状態を表した図である。
【００８７】
状態Ａにおいては、アンテナ１２１の給電点Ｐ１の近傍の携帯端末１の表面（主面，背面，および側面）が手で覆わることになるため、携帯端末１Ｂは、アンテナ１２２を用いて通信機器と無線通信を行なう。つまり、携帯端末１Ｂは、給電点の近傍の表面が手で覆われていないアンテナ１２１を選択する。より詳しくは、掌の一部または親指の付け部が密着している領域Ｓα１，Ｓα２が給電点Ｐ１の近傍であるため、携帯端末１Ｂは、給電点Ｐ１とは異なる給電点Ｐ２を有するアンテナ１２２を選択する。なお、領域Ｓα１は、主面側の領域であり、領域Ｓα２は背面側の領域である。
【００８８】
状態Ａから状態Ｂに遷移すると、アンテナ１２２の給電点Ｐ２の近傍の表面が手で覆われることになるため、携帯端末１Ｂは、アンテナ１２１を用いて通信機器と無線通信を行なう。つまり、携帯端末１Ｂは、給電点の近傍の表面が手で覆われていないアンテナ１２１を選択する。より詳しくは、掌の一部および親指の付け部が密着している領域Ｓβ１，Ｓβ２が給電点Ｐ２の近傍であるため、携帯端末１Ｂは、給電点Ｐ２とは異なる給電点Ｐ１を有するアンテナ１２１を選択する。なお、領域Ｓβ１は、主面側の領域であり、領域Ｓβ２は背面側の領域である。
【００８９】
図１４は、ユーザが携帯端末１Ｂを縦向きに把持した状態を表した図である。図１４を参照して、状態Ａは、縦向きの姿勢の携帯端末１の下端側（図１４の状態Ａの場合には操作キー１０５側）を、ユーザが右手で把持した状態を表した図である。状態Ｂは、縦向きの姿勢の携帯端末１Ｂの上端側を、ユーザが左手で把持した状態を表した図である。
【００９０】
状態Ａにおいて、領域Ｓγ１，Ｓγ２は、掌の一部または親指の付け部が密着している領域（携帯端末１Ｂの表面の一部領域）である。なお、領域Ｓγ１は、主面側の領域であり、領域Ｓγ２は背面側の領域である。状態Ａにおいては、アンテナ１２２の給電点Ｐ２の近傍の表面が手で覆われることになるため、携帯端末１Ｂは、アンテナ１２１を用いて通信機器と無線通信を行なう。つまり、携帯端末１Ｂは、給電点の近傍の表面が手で覆われていないアンテナ１２１を選択する。
【００９１】
状態Ｂにおいて、領域Ｓδ１，Ｓδ２は、掌の一部または親指の付け部が密着している領域（携帯端末１Ｂの表面の一部領域）である。なお、領域Ｓδ１は、主面側の領域であり、領域Ｓδ２は背面側の領域である。状態Ａから状態Ｂに遷移すると、アンテナ１２２の左端側（給電点Ｐ２と反対側）の近傍の表面が手で覆われることになる。しかしながら、アンテナ１２１の給電点Ｐ１の近傍の表面とアンテナ１２２の給電点Ｐ２の近傍の表面とは手で覆われていない。また、上述したとおり、アンテナ１２２の方がアンテナ１２１よりも性能がよい。したがって、携帯端末１Ｂは、アンテナ１２２を用いて通信機器と無線通信を行なう。つまり、携帯端末１Ｂは、給電点の近傍の筐体表面が手で覆われていないアンテナ１２１，１２２のうち、性能の良いアンテナ１２２を選択する。より詳しくは、携帯端末１Ｂは、携帯端末１Ｂの表面と密着している領域が給電点の近傍にない場合には、親指の可動範囲を推定してアンテナを切り替える。
【００９２】
以上のように、携帯端末１Ｂは、携帯端末１と同様、把持状態に基づいて、アンテナ１２１，１２２のうちから、通信機器との通信に用いる少なくとも１つのアンテナを選択する。具体的には、携帯端末１Ｂは、携帯端末１Ｂの姿勢（横向きまたは縦向きの姿勢）にかかわらず、２つのアンテナ１２１，１２２のうち給電点の近傍の表面が手で覆われていないアンテナを用いて、通信機器と通信する。
【００９３】
図１５は、携帯端末１Ｂにおける処理の流れを説明するためのフローチャートである。以下では、図８に示したフローチャートと異なる点を主として説明する。図１５を参照して、携帯端末１Ｂ（正確には、ＣＰＵ１０１）は、ステップＳ４の後、ステップＳ５２において、掌の一部または親指の付け根が携帯端末１Ｂの表面と密着しているか否かを判断する。
【００９４】
携帯端末１Ｂは、密着していないと判断した場合（ステップＳ５２においてＮＯ）、処理をステップＳ８に進める。携帯端末１Ｂは、密着していると判断した場合（ステップＳ５２においてＹＥＳ）、ステップＳ５４において、当該密着している領域がアンテナの給電点の近傍であるか否かを判断する。
【００９５】
携帯端末１Ｂは、給電点の近傍であると判断した場合（ステップＳ５４においてＹＥＳ）、処理をステップＳ８に進める。携帯端末１Ｂは、給電点の近傍でないと判断した場合（ステップＳ５４においてＮＯ）、処理をステップＳ６に進める。
【００９６】
（ｈ４．ＭＩＭＯ）
上記においては、複数のアンテナのうちから１つのアンテナを選択する構成を例に挙げて説明したが、これに限定されるものではない。
【００９７】
たとえば、上記のアンテナの選択処理を、ＭＩＭＯ(multiple-input and multiple-output)をサポートするスマートフォン等の電子機器にも適用できる。つまり、複数のアンテナのうちから２つ以上のアンテナを組み合わせることによりデータ送受信に利用する帯域幅を広げて無線通信に対して、上記のアンテナの選択処理を適用できる。なお、この場合、選択部は、複数のアンテナのうちから、通信機器との通信に用いる少なくとも２つ以上のアンテナを選択することになる。
【００９８】
（ｈ５．親指以外の可動領域）
上記においては、可動領域推定部２２０が親指の可動領域のみを推定する構成を例に挙げて説明したが、これに限定されるものではない。可動領域推定部２２０が、各センサからの座標情報、姿勢情報等に基づいて、人差指、中指、薬指、および小指の可動領域を推定してもよい。この場合には、親指の可動領域と、親指以外の指の可動領域とを考慮して、アンテナを選択するように、選択部２３１を構成してもよい。なお、親指以外の指の可動領域を求める一例として、これらの指は、親指のようには自由に移動できないので、例えば、現在の指位置から所定の平行移動可能距離を設定して、その距離離れた位置までを可動領域としてもよい。
【００９９】
［実施の形態２］
実施の形態１においては、背面タッチセンサ１０９と側面タッチセンサ１１０とを備える携帯端末の構成を説明した。本実施の形態では、これらのセンサ１０９，１１０の代わりに、グリップセンサを備える携帯端末について説明する。なお、グリップセンサとは、携帯端末がユーザによって握られたことを検知するためのセンサ（触覚センサ）である。
【０１００】
図１６は、本発明の実施の形態に係る携帯端末１Ｃの概略構成を説明するための図である。図１６（Ａ）は、携帯端末１Ｃの正面図である。図１６（Ｂ）は、携帯端末１Ｃの背面図である。図１６（Ｃ）は、携帯端末１Ｃの側面図である。図１６（Ｄ）は、図１６（Ｃ）におけるII-II線矢視断面図である。
【０１０１】
図１６（Ａ），（Ｂ），（Ｃ）を参照して、携帯端末１Ｃは、主面に、タッチスクリーン１０８と、操作キー１０５とを備えている。また、携帯端末１Ｃは、背面に、カメラ１０７を備えている。また、携帯端末１Ｃは、筐体の周辺部（２つの側面部）に、グリップセンサ１９１〜１９４を備えている。詳しくは、携帯端末１Ｃの４つの側面部のうち、互いに対向する２つ側面部の各々に、２つのグリップセンサが配置されている。なお、２つの側面部は、携帯端末１Ｃの長手方向の側面部である。
【０１０２】
各グリップセンサ１９１〜１９４は、力が加わると、予め定められた信号を発生する。当該信号は、ＣＰＵ１０１に送られる。ユーザが携帯端末１Ｃを右手で把持した場合、たとえば、１つのグリップセンサ１９１に指が掛っていると、４つのグリップセンサ１９１〜１９４のうち１つのグリップセンサ１９１だけが上記信号を発生する。
【０１０３】
図１６（Ｄ）を参照して、携帯端末１Ｃは、携帯端末１と同様、筐体１０内に、複数のアンテナ１２１，１２２と、複数の電子回路１３１〜１３４とを備える。
【０１０４】
携帯端末１Ｃは、携帯端末１と同様、アンテナ１２１およびアンテナ１２２から１つのアンテナを選択し、図示しない通信機器（他の通信端末、基地局等）との間で無線通信を行なう。つまり、携帯端末１Ｃは、無線通信に利用するアンテナをアンテナ１２１とアンテナ１２２との間で切り替える。アンテナの具体的な選択の手法については、後述する。
【０１０５】
また、携帯端末１Ｃは、携帯端末１と同様、携帯端末１Ｃの姿勢が横向きの姿勢から縦向きの姿勢に変化、または当該姿勢が縦向きの姿勢から横向きの姿勢に変化した場合、ディスプレイの表示画面を９０度回転させる画面回転機能を有する。
【０１０６】
携帯端末１Ｃは、携帯端末１と同様のハードウェア構成を有する。だたし、以下では、アンテナ１２２の方がアンテナ１２１よりも性能が良いものとして説明する。
【０１０７】
図１７は、ユーザが携帯端末１Ｃを横向きに把持した状態を表した図である。図１７を参照して、状態Ａは、横向きの姿勢の携帯端末１Ｃの右端側（図１７の状態Ａの場合には操作キー１０５とは反対側）を、ユーザが右手で把持した状態を表した図である。状態Ｂは、横向きの姿勢の携帯端末１Ｃの左端側を、ユーザが左手で把持した状態を表した図である。
【０１０８】
状態Ａにおいては、グリップセンサ１９３に手（詳しくは親指の付け根）が接触する。他のグリップセンサ１９１，１９２，１９４には手は接触しない。したがって、グリップセンサ１９３のみが信号を発生し、残りの３つのグリップセンサ１９１，１９２，１９４は信号を発生しない。
【０１０９】
この場合、携帯端末１Ｃが横位置であるため、アンテナ１２１の給電点Ｐ１の近傍の携帯端末１Ｃの表面（主面，背面，および側面）が手で覆われている可能性がある。また、携帯端末１Ｃが横位置であり、かつグリップセンサ１９３のみが信号を発生していることから、携帯端末１Ｃは、ユーザが右手で携帯端末１Ｃを把持していると判断できる。このため、携帯端末１Ｃは、アンテナ１２２を用いて通信機器と無線通信を行なう。つまり、携帯端末１Ｃは、給電点の近傍の表面が手で覆われていないと判断し得るアンテナ１２２を選択する。換言すれば、携帯端末１Ｃは、アンテナ１２１，１２２のうち、グリップセンサ１９３から遠い方に位置するアンテナ１２２を選択する。
【０１１０】
状態Ａから状態Ｂに遷移すると、グリップセンサ１９４に手（詳しくは親指の付け根）が接触する。他のグリップセンサ１９１，１９２，１９３には手は接触しない。したがって、グリップセンサ１９４のみが信号を発生し、残りの３つのグリップセンサ１９１，１９２，１９３は信号を発生しない。
【０１１１】
この場合、携帯端末１Ｃが横位置であるため、アンテナ１２２の給電点Ｐ２の近傍の携帯端末１Ｃの表面（主面，背面，および側面）が手で覆われている可能性がある。また、携帯端末１Ｃが横位置であり、かつグリップセンサ１９４のみが信号を発生していることから、携帯端末１Ｃは、ユーザが左手で携帯端末１Ｃを把持していると判断できる。このため、携帯端末１Ｃは、アンテナ１２１を用いて通信機器と無線通信を行なう。つまり、携帯端末１Ｃは、給電点の近傍の表面が手で覆われていないと判断し得るアンテナ１２１を選択する。換言すれば、携帯端末１Ｃは、アンテナ１２１，１２２のうち、グリップセンサ１９４から遠い方に位置するアンテナ１２１を選択する。
【０１１２】
図１８は、ユーザが携帯端末１Ｃを縦向きに把持した状態を表した図である。図１８を参照して、状態Ａは、縦向きの姿勢の携帯端末１Ｃの右端側を、ユーザが右手で把持した状態を表した図である。状態Ｂは、縦向きの姿勢の携帯端末１Ｃの左端側を、ユーザが左手で把持した状態を表した図である。
【０１１３】
状態Ａにおいては、グリップセンサ１９４に手（詳しくは親指の付け根）が接触する。他のグリップセンサ１９１，１９２，１９３には手は接触しない。したがって、グリップセンサ１９４のみが信号を発生し、残りの３つのグリップセンサ１９１，１９２，１９３は信号を発生しない。
【０１１４】
この場合、携帯端末１Ｃが縦位置であるため、アンテナ１２２の給電点Ｐ２の近傍の携帯端末１Ｃの表面（主面，背面，および側面）が手で覆われている可能性がある。また、携帯端末１Ｃが縦位置であり、かつグリップセンサ１９４のみが信号を発生していることから、携帯端末１Ｃは、ユーザが右手で携帯端末１Ｃを把持していると判断できる。このため、携帯端末１Ｃは、アンテナ１２１を用いて通信機器と無線通信を行なう。つまり、携帯端末１Ｃは、給電点の近傍の表面が手で覆われていないと判断し得るアンテナ１２１を選択する。換言すれば、携帯端末１Ｃは、アンテナ１２１，１２２のうち、グリップセンサ１９４から遠い方に位置するアンテナ１２１を選択する。
【０１１５】
状態Ａから状態Ｂに遷移すると、グリップセンサ１９２に手（詳しくは親指の付け根）が接触する。他のグリップセンサ１９１，１９３，１９４には手は接触しない。したがって、グリップセンサ１９２のみが信号を発生し、残りの３つのグリップセンサ１９１，１９３，１９４は信号を発生しない。
【０１１６】
この場合、携帯端末１Ｃが縦位置であり、かつグリップセンサ１９２のみが信号を発生していることから、携帯端末１Ｃは、ユーザが左手で携帯端末１Ｃを把持していると判断できる。また、携帯端末１Ｃが縦位置であるため、携帯端末１Ｃは、アンテナ１２１の給電点Ｐ１の近傍の表面とアンテナ１２２の給電点Ｐ２の近傍の表面とは手で覆われていないと判断できる。さらに、上述したとおり、アンテナ１２２の方がアンテナ１２１よりも性能がよい。
【０１１７】
このため、携帯端末１Ｃは、アンテナ１２２を用いて通信機器と無線通信を行なう。つまり、携帯端末１Ｃは、給電点の近傍の表面が手で覆われていないと判断し得るアンテナ１２１，１２２のうちから、アンテナ性能の良いアンテナ１２２を選択する。
【０１１８】
以上のように、携帯端末１Ｃは、把持状態に基づいて、アンテナ１２１，１２２のうちから、通信機器との通信に用いる少なくとも１つのアンテナを選択する。具体的には、携帯端末１Ｃは、携帯端末１と同様、携帯端末１Ｃの姿勢（横向きまたは縦向きの姿勢）にかかわらず、２つのアンテナ１２１，１２２のうち給電点の近傍の表面が手で覆われていないアンテナを用いて、通信機器と通信する。
【０１１９】
これにより、携帯端末１Ｃは、通信性能（通信品質）のよい方のアンテナを用いて、通信機器と通信することが可能となる。
【０１２０】
図１９は、携帯端末１Ｃの機能的構成を説明するための図である。図１９を参照して、携帯端末１Ｃは、タッチスクリーン１０８と、加速度センサ１１１と、無線通信ＩＦ１１２と、アンテナ１２１と、アンテナ１２２と、グリップセンサ１９１〜１９４と、制御部２００Ａと、記憶部３００とを備えている。背面タッチセンサ１０９および側面タッチセンサ１１０の代わりにグリップセンサ１９１〜１９４を備えている点と、制御部２００の代わりに制御部２００Ａを備えている点とにおいて、実施の形態１の携帯端末１とは異なる。
【０１２１】
制御部２００Ａは、状態検出部２１０Ａと、通信制御部２３０と、表示制御部２４０とを含む。制御部２００Ａは、可動領域推定部２２０を含まない点と、状態検出部２１０の代わりに状態検出部２１０Ａを備えている点とにおいて、実施の形態１の携帯端末１とは異なる。
【０１２２】
状態検出部２１０Ａは、グリップセンサ１９１〜１９４からの出力信号に基づき、ユーザによる携帯端末１Ｃの把持状態を検出する。
【０１２３】
図２０は、携帯端末１Ｃにおける処理の流れを説明するためのフローチャートである。以下では、図８に示したフローチャートと異なる点を主として説明する。図２０を参照して、携帯端末１Ｃ（詳しくはＣＰＵ１０１）は、ステップＳ２において肯定的な判断がなされた後、ステップＳ４Ａにおいて、ユーザによる携帯端末１Ｃの把持状態を検出する。携帯端末１Ｃは、ステップＳ４Ａの後、処理をステップＳ８に進める。なお、ステップＳ２，８，１０，１２における各処理は、図８に基づいて説明したため、ここでは繰り返さない。
【０１２４】
図２１は、図２０におけるステップＳ４Ａの処理の詳細を説明するためのフローチャートである。図２１を参照して、ステップＳ４０２において、ＣＰＵ１０１は、加速度センサ１１１からの出力に基づき、携帯端末１Ｃの姿勢を判断する。ステップＳ４０４Ａにおいて、ＣＰＵ１０１は、グリップセンサ１９１〜１９４からの出力信号に基づき、ユーザの手が接触している１つ以上のグリップセンサを判断する。ステップＳ４０６において、ＣＰＵ１０１は、携帯端末１Ｃの姿勢およびユーザが接触しているグリップセンサの情報に基づいて、携帯端末１を把持している持ち手が、左手であるか右手であるかを判断する。
【０１２５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１２６】
１，１Ａ，１Ｂ，１Ｃ  携帯端末、１０  筐体、１０１  ＣＰＵ、１０４  フラッシュメモリ、１０５  操作キー、１０７  カメラ、１０８  タッチスクリーン、１０９  背面タッチセンサ、１１０，１１０ａ，１１０ｂ，１１０ｃ，１１０ｄ  側面タッチセンサ、１１１  加速度センサ、１１２  無線通信ＩＦ、１２１，１２２，１２３  アンテナ、１３１，１３２，１３３，１３４  電子回路、１９１，１９２，１９３，１９４  グリップセンサ、２００，２００Ａ  制御部、２１０，２１０Ａ  状態検出部、２１１  持手判断部、２２０  可動領域推定部、２３０  通信制御部、２３１  選択部、２４０  表示制御部、３００  記憶部、４００  アンテナ切替処理部、１０８１  ディスプレイ、１０８２  タッチパネル、Ｄ７  データテーブル、Ｐ１，Ｐ２，Ｐ３  給電点、Ｑ  領域。
【図１】
2015033079.tif 000003
【図２】
2015033079.tif 000004
【図３】
2015033079.tif 000005
【図４】
2015033079.tif 000006
【図５】
2015033079.tif 000007
【図６】
2015033079.tif 000008
【図７】
2015033079.tif 000009
【図８】
2015033079.tif 000010
【図９】
2015033079.tif 000011
【図１０】
2015033079.tif 000012
【図１１】
2015033079.tif 000013
【図１２】
2015033079.tif 000014
【図１３】
2015033079.tif 000015
【図１４】
2015033079.tif 000016
【図１５】
2015033079.tif 000017
【図１６】
2015033079.tif 000018
【図１７】
2015033079.tif 000019
【図１８】
2015033079.tif 000020
【図１９】
2015033079.tif 000021
【図２０】
2015033079.tif 000022
【図２１】
2015033079.tif 000023